(57)【要約】蓋２０を着装する上端１３を有する管状体１０からなるタイプの缶用のプラスチック蓋であって、管状体１０に取外し可能に着装され、上部端縁２１ｂが設けられた封止部２１と、蓋２０が最初に開口されたときに破断される密封部２５とを備え、密封部２５は、下部スカート２５ａに組み込まれる上部リング２５ｂを有し、前記上部リング２５ｂおよび前記下部スカート２５ａが、それぞれ上端１３の一部およびその周りに着装され、前記上部リング２５ｂが、径方向ブリッジ２６を介して前記上部端縁２１ｂに組み込まれ、密封部２５は、上部リング２５ｂの幅を通りかつ下部スカート２５ａの少なくとも高さの一部を通って延在する中断部２５ｃを呈する。封止部２１は、密封部２５の一部破断したときだけ手で操作可能なグリッピングタブ２７を組み込む。
2005519002.tif 000002
【特許請求の範囲】
【請求項１】
下端（１１）と、蓋（２０）を密閉着装するシート（１５）を担持する上端（１３）とを有する管状体（１０）からなるタイプの缶用のプラスチック蓋であって、プラスチック蓋が、シート（１５）に取外し可能に着装かつ保持され、シート（１５）から径方向外側に突出する上部端縁（２１ｂ）が設けられた封止部（２１）と、密封部（２５）とを一体片で備え、前記密封部（２５）が、管状体（１０）の上端（１３）の一部の周りに着装される下部スカート（２５ａ）と、管状体（１０）の上端（１３）の一部に着装される上部リング（２５ｂ）とを有し、前記上部リング（２５ｂ）は、外側で下部スカート（２５ａ）に組み込まれ、かつ内側で径方向ブリッジ（２６）を介して封止部（２１）の上部端縁（２１ｂ）に組み込まれ、密封部（２５）は、周囲延在部に、上部リング（２５ｂ）の幅を通りかつ下部スカート（２５ａ）の少なくとも高さの一部を通って延在する中断部（２５ｃ）を呈し、封止部（２１）は、密封部（２５）の前記中断部（２５ｃ）を通る径方向外側および軸方向下側に突出するグリッピングタブ（２７）を組み込み、前記グリッピングタブ（２７）は、密封部（２５）の一部が破断されたときだけ手で操作可能であり、前記径方向ブリッジ（２６）は、蓋が最初に開口されたときに、密封部（２５）を封止部（２１）から分離する一定の引張り力を受けたときに破断することを特徴とする缶用のプラスチック蓋。
【請求項２】
下部スカート（２５ａ）が、管状体（１０）の上端（１３）の周囲延在部の周りに緊密着装されることを特徴とする、請求項１に記載の缶用のプラスチック蓋。
【請求項３】
密封部（２５）が、少なくとも１つの破断可能ロック（２８）を備え、該破断可能ロック（２８）が、グリッピングタブ（２７）を、上部リング（２５ｂ）および密封部（２５）の下部スカート（２５ａ）によって画定される部分の少なくとも１つに連結することを特徴とする、請求項２に記載の缶用のプラスチック蓋。
【請求項４】
下部スカート（２５ａ）が、密封ブリッジ（２５ｄ）の端部を組み込み、該密封ブリッジ（２５ｄ）が、密封部（２５）の中断部（２５ｃ）を越えてかつグリッピングタブ（２７）を越えて周囲方向に延在し、密封ブリッジ（２５ｄ）の前記端部の第１の端部（２５ｅ）が、連結手段（２５ｆ）によって下部スカート（２５ａ）に組み込まれ、連結手段（２５ｆ）が、グリッピングタブ（２７）への手のアクセスを可能とするために、前記第１の端部（２５ｅ）が下部スカート（２５ａ）から強制的に離されるときに破断されることを特徴とする、請求項２に記載の缶用のプラスチック蓋。
【請求項５】
密封ブリッジ（２５ｄ）が、第１の端部（２５ｅ）を有し、該第１の端部が、下部スカート（２５ａ）を越えて配置され、かつ周囲方向に相互に離間した２つの連結手段（２５ｅ）によって下部スカートに組み込まれることを特徴とする、請求項４に記載の缶用のプラスチック蓋。
【請求項６】
グリッピングタブ（２７）は、上部リング（２５ｂ）および下部スカート（２５ａ）と実質的に同じレベルにされ、これらの部品を延在部全体に沿った隙間（２９）で維持することを特徴とする、請求項１に記載の缶用のプラスチック蓋。
【請求項７】
グリッピングタブ（２７）は、ハンドルを画定するために、少なくとも一部が中空であることを特徴とする、請求項１に記載の缶用のプラスチック蓋。
【請求項８】
グリッピングタブ（２７）が、軸方向および下側に下部スカート（２５ａ）を越えて延在することを特徴とする、請求項７に記載の缶用のプラスチック蓋。
【請求項９】
グリッピングタブ（２７）が肉厚であることを特徴とする、請求項１に記載の缶用のプラスチック蓋。
【請求項１０】
グリッピングタブ（２７）が、下部スカート（２５ａ）の残りの部分から分離されて保持される下部スカート（２５ａ）の破断部（２４）に画定され、かつ上部リング（２５ｂ）に上側で組み込まれることを特徴とする、請求項９に記載の缶用のプラスチック蓋。
【請求項１１】
下部スカート（２５ａ）の破断部（２４）が、Ｕ字形ストリップにより画定され、該Ｕ字形ストリップは、グリッピングタブ（２７）のそれぞれ延在部周りに隙間（２９）を維持し、グリッピングタブ（２７）を破断部（２４）から分離し、破断部が、下部スカート（２５ａ）の残りの部分から一対の軸方向切れ目（２３）により分離されることを特徴とする、請求項１０に記載の缶用のプラスチック蓋。
【請求項１２】
軸方向切れ目（２３）が、上部リング（２５ｂ）の幅の一定の延在部を通って径方向内側に延在することを特徴とする、請求項１１に記載の缶用のプラスチック蓋。
【請求項１３】
上部リング（２５ｂ）が、一方の管状体上に積まれた別の管状体（１０）の下端（１１）に緩くかつ入れ子状に嵌合するために、管状体（１０）の上端（１３）上方に突出する上部周囲リブ（２５ｇ）を含むことを特徴とする、請求項１から１２のいずれか一項に記載の缶用のプラスチック蓋。
【請求項１４】
上部周囲リブ（２５ｇ）が連続体であることを特徴とする、請求項１３に記載の缶用のプラスチック蓋。
【請求項１５】
上部周囲リブ（２５ｇ）が、一方の管状体上に積まれた別の管状体（１０）の下端（１１）周りに嵌合することを特徴とする、請求項１３に記載の缶用のプラスチック蓋。
【請求項１６】
上部周囲リブ（２５ｇ）が、一方の管状体（１０）上に積まれた別の管状体（１０）の下端（１１）の内側に設けられた周囲リセス（１２ａ）の内部に嵌合することを特徴とする、請求項１３に記載の缶用のプラスチック蓋。
【発明の詳細な説明】
【技術分野】
【０００１】
本発明は、金属シートから作製され、管状体からなるタイプの缶を閉じるためのプラスチック蓋に関し、管状体は、底部壁を固定もしくは組み込む下部縁端と、上部端縁とを備え、上部端縁は、管状体の変形部分により直接に、あるいは構造リングの形態をとることができる環状上部壁部分により、圧力嵌め可能な蓋を着装および保持するためのシートを担持する。特に、本発明は、一定の食料製品等の漸次消費される製品を内蔵するために使用される、上記で考慮したタイプの缶用のプラスチック蓋を提供することに関する。
【背景技術】
【０００２】
一定の食料製品等の特定の製品は、密封貯蔵されることと、これを納めて市販する容器が既に開封されていないことが消費者に明らかに視認できることとを必要とする。それらの製品の多くが、漸次消費されるものであるため、容器の最初の開口後は、缶内部へのアクセスを与える蓋を、貯蔵された製品が漸次消費される間、必要に応じて何度でも再び閉じることができ、再び閉じられた缶の密閉性が保証され、かつ缶の内容物の残りの部分が保護されることが不可欠である。
【０００３】
従来技術からよく知られているものとして、圧力嵌めされた蓋付きの缶があり、蓋は、周辺構造リングに圧力嵌めされ、周辺構造リングは、缶本体の上部端縁内側に密閉されて二重巻締めされる。缶の中身の密閉性は、このタイプの構成においては、蓋を着装かつ保持するためのシートに、蓋を嵌合することによって保証され、シートは、缶の環状上壁あるいは缶の管状体を画定する構造リングに設けられることができる。
【０００４】
このタイプの閉蓋では、不正形跡シール（ｔａｍｐｅｒ  ｅｖｉｄｅｎｔ  ｓｅａｌ）によっても気密性が保証され、このシールは、通常、缶本体の上部端縁に構造リングとともに周回二重巻締めされるアルミニウム金属シートによって画定される。この内側シールは、蓋を取り外すときにのみ視認可能であり、またその周辺を切取る用具を使用する必要があり、それによって、必然的に缶の上部開口近傍に切り端が残り、これがユーザの指をしばしば負傷させる原因となる。
【０００５】
上述の不都合に加え、これらの知られた圧力嵌め蓋は、ユーザが、構造リングに画定されたシートから蓋を取り外すのにレバー状の用具を要する。ユーザが、このタイプの蓋を手だけで取り外すことは不可能である。
【０００６】
また、ブラジル特許出願第ＰＩ０００３７２７−３号からも解決方法が知られ、その解決方法においては、プラスチック蓋が、シートに取外し可能に着装かつ保持される封止部と、封止部の上部端縁周りに配置され、かつ封止部に組み込まれる端部を有する一対の概ね半環状のハンドルとからなる。ハンドルは、ハンドルの中央領域をプラスチック蓋の封止部に連結する破断可能な手段の破断後に、前記上部端縁と共面の非動作位置から上げられた動作位置に中央で移動可能である。この従来技術の構成においては、プラスチック蓋は、さらに手で破断可能なシールストリップを組み込み、このシールストリップは、管状体の上端の周りに設けられ、環状上壁の二重巻締め下に着装かつロックされる下部と、連結手段によってハンドルと破断可能な封止部とに連結された上部とを呈する。
【０００７】
それによって、漸次消費される製品を内蔵する缶用の従来技術の蓋の欠点は解消されるものの、当出願人によるこの従来技術の解決方法には、尚いくつかの不具合がある。その不具合の１つは、シールストリップが慎重に上向きに押された場合に、缶の上部二重巻締めから摺動して逸脱する可能性があり、シールストリップを保持する信頼性に疑問の余地があることに関する。
【０００８】
前記従来技術の蓋の別の不具合は、対向するハンドルにより蓋を軸方向に引くことによって、急激に開口するために、貯蔵した製品が蓋の取外し時に多く出過ぎる恐れがある事実に由来する。
【０００９】
改良可能な点がさらに２つあり、蓋の取出しのためのハンドルへのアクセスの容易性と、シールストリップを取り除くには通常切断具の使用を要する、缶の管状体上部端縁周りのシールストリップの耐久性とに関する。
【発明の開示】
【発明が解決しようとする課題】
【００１０】
本発明は、ここで考慮しているタイプの缶用の再び閉じることが可能なプラスチック蓋であって、構成が簡潔かつコストが安く、開口促進手段ならびに侵入の即座な視認表示の信頼性ある密封部を組み込む蓋を提供することを一般的な目的とする。
【００１１】
さらに本発明は、上記に規定したような、消費者が安全かつ容易に取扱い可能なプラスチック蓋を提供することを目的とする。
【課題を解決するための手段】
【００１２】
本発明のこれらおよび他の目的および長所は、下端と、蓋を密閉して着装するシートを担持する上端とを有する、管状体からなるタイプの缶用のプラスチック蓋を提供することによって達成される。
【００１３】
本発明によれば、蓋は、シートに取外し可能に着装かつ保持され、シートから径方向外側に突出する上部端縁が設けられた封止部と、密封部とを一体片で備え、該密封部は、管状体の上端の一部の周りに着装される下部スカートと、管状体の上端の一部に着装される上部リングとを有し、上部リングは、外側で下部スカートに組み込まれ、かつ内側で径方向ブリッジを介して封止部の上部端縁に組み込まれ、密封部の周囲延在部に、上部リングの幅を通りかつ下部スカートの少なくとも高さの一部を通って延在する中断部を呈し、封止部は、密封部の前記中断部を通って径方向外側および軸方向下側に突出するグリッピングタブを含み、前記グリッピングタブは、密封部の一部が破断されたときだけ手で操作可能であり、前記径方向ブリッジは、蓋が最初に開口されたときに、密封部を封止部から分離する一定の引張り力を受けたときに破断する。
【００１４】
以下に、本発明を、添付図面を参照して説明する。
【発明を実施するための最良の形態】
【００１５】
図１から図１０に示される実施形態により、本発明の蓋は、金属シートから作られる缶に適用され、缶は、底部壁１２を固定する下端１１と、蓋２０を密閉して着装するためのシート１５を内部に画定する環状上部壁１４を二重巻締めにより固定する上端１３とを有する管状体１０を備える。
【００１６】
環状上部壁１４は、図４、図５、図９、および図１０に示される構造的リングの形態をとるか、あるいは１８リットル缶等、大寸法の缶における環状プレートの形態をとることも可能である。環状上部壁１４およびシート１５の構成は、缶上部への蓋２０の密閉されかつ安全な嵌合が可能な限り、異なる形態で達成されてもよい。図４、図５、図９および図１０において、環状上部壁１４およびシート１５の構成は、当出願人にブラジルで発行されたブラジル特許第ＰＩ９４０８６４３−５号、ならびに他国で発行された特許（例えば、アメリカ特許第５８９９３５２号、ヨーロッパ特許第０７０６４８６号等）に記載されかつ特許請求されたように達成される。したがって、上記従来の構成について本明細書が詳細な記載を含む必要はない。
【００１７】
本発明によれば、かつ添付図面に示すように、蓋２０は、透明もしくは不透明なプラスチック材料で構成されることが好ましく、シート１５に取外し可能に着装かつ保持されるように、適切に構成された封止部２１を備える。前記封止部２１は、上部端縁２１を呈し、該上部端縁２１は、図示の実施形態では、封止部２１の上側に組み込まれる外側周辺フランジ２１ａによって画定されている。蓋２０はさらに、封止部２１と一体片の密閉部２５を備え、該密閉部２５は、管状体１０の上端１３の周囲延在部の周りに一般に緊密着装された下部スカート２５ａと、管状体１０の上端周辺延長部に着装される上部リング２５ｂとを有する。上部リング２５ｂは、外側で下部スカート２５ａに組み込まれ、その内側で手で破断可能な半径方向ブリッジ２６によって、封止部２１の上部端縁２１ｂに組み込まれる。
【００１８】
本発明によれば、径方向ブリッジ２６は、蓋２０の最初の開口の際に、密封部２５を封止部２１から分離するための一定の引張り力を受けたときに破断する。
【００１９】
密封部２５には、その周囲延在部に、上部リング２５ｂの幅に亘りかつ下部スカート２５ａの高さの少なくとも一部に亘る中断部２５ｃがあり、前記中断部２５ｃは、前記中断部２５ｃ両側における上部リング２５ｂおよび下部スカート２５ａの前記部分の各対向端縁間に一定の周囲空間を画定する。
【００２０】
本発明によれば、封止部２１は、密封部２５の前記中断部２５ｃ沿いに径方向外側にかつ軸方向下側に突出するグリッピングタブ２７を組み込み、例えば、前記密封部２５の各部とほぼ同じレベルにされる。
【００２１】
図１から図５に示される実施形態では、グリッピングタブ２７は、上部リング２５ｂの対応する径方向延在部全体に亘り、かつ下部スカート２５ａの軸方向延在部の一部に亘り突出し、図６から図１０に示される構成においては、グリッピングタブ２７は、上部リング２５ｂの対応する径方向延在部全体を占め、かつ下部スカート２５ａの軸方向延在部を越えて軸方向下側に突出する。
【００２２】
本発明によれば、密封部２５は、密封部２５の上部リング２５ｂおよび下部スカート２５ａにより画定される部分の少なくとも１つにグリッピングタブ２７を連結する、少なくとも１つの破断可能ロック２８を備える。グリッピングタブ２７は、密封部２５の一部が破断した時、例えば各破断可能ロック２８の破断時に限り、手により操作可能である。
【００２３】
図１から図５に示される構成において、グリッピングタブ２７は、蓋２０の最初の開口の際に、手で破断される２つ以上の周囲ブリッジの形態の破断可能ロック２８によって、側方向に上部リング２５ｂに組み込まれる。本発明により提案されかつ図１から図５に示される構成において、径方向ブリッジ２６および破断可能ロック２８は破断され、ユーザがグリッピングタブ２７を手で上げることにより蓋を最初に開口する際に、封止部２１が密封部２５から分離されることを可能にする。
【００２４】
図６から図１０に示される構成において、下部スカート２５ａは、密封部２５の中断部２５ｃおよびグリッピングタブ２７を越えて周囲方向に延在する密封ブリッジ２５ｄの端部を組み込む。密封ブリッジ２５ｄは、第１の端部２５ｅを呈し、この第１の端部２５ｅは、連結手段２５ｆにより下部スカート２５ａに組み込まれる。この連結手段２５ｆは、グリッピングタブ２７への手のアクセスを可能にするように、前記第１の端２５ｅを下部スカート２５ａから強制的に離したとき、例えば径方向外側に引っ張られたときに破断される。図示の実施形態において、密封ブリッジ２５ｄは、下部スカート２５ａを越えて配置されたその第１の端部２５ｅを有し、この第１の端部２５ｅは、周囲方向に相互離間した２つの連結手段２５ｆによって下部スカートに組み込まれる。
【００２５】
図６から図１０に示される構成において、グリッピングタブ２７は、蓋の最初の開口の際に、手で破断される１つ以上の軸方向ブリッジの形態の破断可能ロック２８を介して、密封ブリッジ２５ｄの下側に組み込まれる。
【００２６】
グリッピングタブ２７を設けることにより、封止部２１が、シート１５におけるその着装位置から容易に取外し可能となるのみならず、先ずグリッピングタブ２７の隣接領域、次いでシートの残りの部分での、缶の制御されかつ漸次の開口を可能とし、収納製品が缶から不適切に取出されることを防止する。
【００２７】
本発明によれば、グリッピングタブ２７は、肉厚とすることが可能であり、かつ少なくとも一部が中空で、図６から図１０に示すようにハンドルを画定することが可能である。
【００２８】
図１から図３、および図５に示される構成において、グリッピングタブ２７は、肉厚とし、上部リング２５ｂおよび下部スカート２５ａの各部分で形成され、封止部２１の前記部分とほぼ同じレベルのままであり、かつ前記部分からその延在部全体沿いに隙間２９を維持している。
【００２９】
図１から図３、および図５に示されるように、グリッピングタブ２７は、下部スカート２５ａの破断部２４において画定されることが好ましく、この破断部２４は、下部スカート２５ａの残りの部分から分離して維持され、かつ上部リング２５ｂの上側にのみ組み込まれる。この構成によって、下部スカート２５ａの破断部２４は、Ｕ字形ストリップとすることができ、前記隙間２９が、グリッピングタブ２７の各延在部周りに維持され、下部スカート２５ａの残りの部分から一対の軸方向切れ目２３によって分離される。この軸方向切れ目は、図示の例では、上部リング２５ｂの幅の一定延在部によって径方向内側に延在し、蓋の最初の開口後に、密封部２５が、破断部２４の領域で破断され、完全かつ容易に管状体１０から分離されることを可能にする。
【００３０】
ある構造形態において、上部リング２５ｂは、一方の管状体１０上に積まれた別の管状体１０の下端１１に、外側または内側で緩くかつ入れ子状に嵌合するために、上部周囲リブ２５ｇを組み込むことができ、この上部周囲リブ２５ｇは、連続体もしくはセグメントで画定され、管状体１０の上端１３を越えて突出する。
【００３１】
上部周囲リブ２５ｇの径が、管状体１０の下端１１の径より小さい場合には、上部周囲リブ２５ｇは、一方の管状体上に積まれた別の管状体の下端１１に対して内側に、底部壁１２に設けられた周囲リセス１２ａ内に嵌合される。
【００３２】
蓋２０の構成において、図１から図５に示されるように、封止部２１の上部端縁２１ｂは、上部リング２５ｂを含む面と実質的に一致する面に設けられ、この構成における径方向ブリッジ２６は、実質的に水平方向でありかつ前記部分と同じレベルに設けられる。図６から図１０に示される構成においては、封止部２１の上部端縁２１ｂは、上部リング２５ｂを含む面に対してより低い面に設けられ、径方向ブリッジ２６は、前記部分間に実質的に垂直方向に設けられる。
【００３３】
以上、本発明は、１つの構造形態だけを表す２つの可能な缶の実施形態に関して記載されたが、本願の請求項に規定される保護範囲から逸脱することなく、種々の変更が可能であることは理解されるべきである。
【図面の簡単な説明】
【００３４】
【図１】本発明の第１の実施形態によって構成された、密封部を組み込むプラスチック蓋の斜視図である。
【図２】密封部を破断後の図１の蓋を示す分解斜視図である。
【図３】図１に示すプラスチック蓋を示す平面図である。
【図４】図１から図３に示される蓋を缶の上端に取り付けた時の、図３におけるＩＶ−ＩＶ線で切断した部分径方向断面図である。
【図５】図４と同様の、図３Ｖ−Ｖ線で切断した図である。
【図６】密封部を組み込む本発明によるプラスチック蓋の別の構成の斜視図である。
【図７】密封部を破断後の図６の蓋の分解斜視図である。
【図８】図６に示すプラスチック蓋の平面図である。
【図９】図６から図８に示される蓋を缶の上端に取り付けた時の、図８におけるＩＸ−ＩＸ線で切断した部分径方向断面図である。
【図１０】図８と同様の、図８におけるＸ−Ｘ線で切断した図である。
【図１】
2005519002.tif 000003
【図２】
2005519002.tif 000004
【図３】
2005519002.tif 000005
【図４】
2005519002.tif 000006
【図５】
2005519002.tif 000007
【図６】
2005519002.tif 000008
【図７】
2005519002.tif 000009
【図８】
2005519002.tif 000010
【図９】
2005519002.tif 000011
【図１０】
2005519002.tif 000012
【国際調査報告】
2005519002.tif 000013
2005519002.tif 000014
2005519002.tif 000015